(57)【要約】【課題】放送視聴中でもモードを切り替えることのできる放送受信端末、当該放送受信端末が行うモード切替方法、及び当該放送受信端末で実行されるモード切替プログラムを提供すること。【解決手段】モードに応じて異なるクロック周波数で動作する演算処理部を有する放送受信端末が次のステップを有するモード切替方法を実行する。モード切替方法は、演算処理部が動作中にモード切替が指示されたかを判別するステップと、モード切替が指示されたとき、演算処理部をアイドリング状態に設定するステップと、指示されたモードに放送受信端末を切り替えるステップと、演算処理部のアイドリング状態を解除するステップとを有する。【選択図】図３
2008141722.tif 000002
【特許請求の範囲】
【請求項１】
モードに応じて異なるクロック周波数で動作する演算処理部を有する放送受信端末が行うモード切替方法であって、
前記放送受信端末が放送を受信かつ視聴中、あるいは記録蓄積された放送の視聴中であって、前記演算処理部が動作中にモード切替が指示されたかを判別するステップと、
前記モード切替が指示されたとき、前記演算処理部をアイドリング状態に設定するステップと、
指示されたモードに前記放送受信端末を切り替えるステップと
を有することを特徴とするモード切替方法。
【請求項２】
前記モード切替方法は、
前記演算処理部のアイドリング状態を解除するステップと、
を有することを特徴とする請求項１記載のモード切替方法。
【請求項３】
請求項１または２に記載のモード切替方法であって、
前記モード切替が指示されたとき、
前記演算処理部をアイドリング状態に設定する前に、前記放送受信端末が有する音量調整部を制御して、前記放送受信端末から出力される音をフェードアウト又はミュートするステップと、
前記演算処理部のアイドリング状態を解除した後に、前記放送受信端末から出力される音をフェードイン又はミュート解除するステップと、
を有することを特徴とするモード切替方法。
【請求項４】
請求項１または２に記載のモード切替方法であって、
前記放送受信端末は、第１のクロック周波数で前記演算処理部が動作する第１のモードと、前記第１のクロック周波数よりも低い第２のクロック周波数で前記演算処理部が動作する第２のモードとの間で切り替えられることを特徴とするモード切替方法。
【請求項５】
請求項１または２に記載のモード切替方法であって、
前記放送受信端末が有する音声処理部を制御して、前記音声処理部が有する付加機能の実行と非実行を切り替えることを特徴とするモード切替方法。
【請求項６】
請求項４に記載のモード切替方法であって、
前記第１のモードでは、前記放送受信端末が有する音声処理部の付加機能を実行し、前記第２のモードでは、前記音声処理部の付加機能を実行しないことを特徴とするモード切替方法。
【請求項７】
モードに応じて異なるクロック周波数で動作する演算処理部を有する放送受信端末で実行されるモード切替プログラムであって、
前記放送受信端末が有するコンピュータに、
前記演算処理部が動作中にモード切替が指示されたかを判別する機能と、
前記モード切替が指示されたとき、前記演算処理部をアイドリング状態に設定する機能と、
指示されたモードに前記放送受信端末を切り替える機能と、
を実現させるためのモード切替プログラム。
【請求項８】
前記モード切替プログラムは、
前記演算処理部のアイドリング状態を解除する機能と、
を実現させるための請求項７記載のモード切替プログラム。
【請求項９】
請求項７または８に記載のモード切替プログラムであって、
前記モード切替が指示されたとき、
前記コンピュータに、
前記演算処理部をアイドリング状態に設定する前に、前記放送受信端末が有する音量調整部を制御して、前記放送受信端末から出力される音をフェードアウト又はミュートする機能と、
前記演算処理部のアイドリング状態を解除した後に、前記放送受信端末から出力される音をフェードイン又はミュート解除する機能と、
を実現させるためのモード切替プログラム。
【請求項１０】
請求項７または８に記載のモード切替プログラムであって、
前記放送受信端末は、第１のクロック周波数で前記演算処理部が動作する第１のモードと、前記第１のクロック周波数よりも低い第２のクロック周波数で前記演算処理部が動作する第２のモードとの間で切り替えられるモード切替プログラム。
【請求項１１】
請求項７または８に記載のモード切替プログラムであって、
前記放送受信端末が有する音声処理部を制御して、前記音声処理部が有する付加機能の実行と非実行を切り替えるモード切替プログラム。
【請求項１２】
請求項１０に記載のモード切替プログラムであって、
前記第１のモードでは、前記放送受信端末が有する音声処理部の付加機能を実行し、前記第２のモードでは、前記音声処理部の付加機能を実行しないモード切替プログラム。
【請求項１３】
モードに応じて異なるクロック周波数で動作する演算処理部を有する放送受信端末であって、
前記演算処理部が動作中にモード切替が指示されたかを判別し、
前記モード切替が指示されたとき、前記演算処理部をアイドリング状態に設定し、
指示されたモードに前記放送受信端末を切り替え、
前記演算処理部のアイドリング状態を解除する
制御部を備えたことを特徴とする放送受信端末。
【請求項１４】
モードに応じて異なるクロック周波数で動作する演算処理部を有する放送受信端末が行うモード切替方法であって、
前記放送受信端末が放送を受信中かつ視聴中であって、前記演算処理部が動作中にモード切替が指示されたかを判別する判定部と、
前記モード切替が指示されたとき、前記演算処理部をアイドリング状態に設定する設定部と、
指示されたモードに前記放送受信端末を切り替える切替部と、
割込み信号の発生あるいは消費電流増加から発見できる前記演算処理部のアイドリング状態を解除する解除部と、
を有することを特徴とする放送受信端末。
【請求項１５】
前記放送受信端末は、
さらに前記演算処理部のアイドリング状態を解除する解除部と、
を有することを特徴とする請求項１４記載の放送受信端末。
【請求項１６】
請求項１４または１５に記載のモード切替方法であって、
前記モード切替が指示されたとき、
前記演算処理部をアイドリング状態に設定する前に、前記放送受信端末が有する音量調整部を制御して、前記放送受信端末から出力される音をフェードアウト又はミュートし、
前記演算処理部のアイドリング状態を解除した後に、前記放送受信端末から出力される音をフェードイン又はミュート解除する音量調整部と、
を有することを特徴とする放送受信端末。
【請求項１７】
請求項１４または１５に記載のモード切替方法であって、
前記放送受信端末は、第１のクロック周波数で前記演算処理部が動作する第１のモードと、前記第１のクロック周波数よりも低い第２のクロック周波数で前記演算処理部が動作する第２のモードとの間で切り替えられることを特徴とする放送受信端末。
【請求項１８】
請求項１４または１５に記載のモード切替方法であって、
前記放送受信端末が有する音声処理部を制御して、前記音声処理部が有する付加機能の実行と非実行を切り替えることを特徴とする放送受信端末。
【請求項１９】
請求項１７に記載のモード切替方法であって、
前記第１のモードでは、前記放送受信端末が有する音声処理部の付加機能を実行し、前記第２のモードでは、前記音声処理部の付加機能を実行しないことを特徴とする放送受信端末。
【発明の詳細な説明】
【技術分野】
【０００１】
本発明は、モードに応じて異なるクロック周波数で動作する演算処理部を有する放送受信端末、当該放送受信端末が行うモード切替方法、及び当該放送受信端末で実行されるモード切替プログラムに関する。
【背景技術】
【０００２】
日本の地上デジタルテレビ放送のサービス（ISDB-T）の１つに「ワンセグ（1seg）」と呼ばれる携帯電話や移動体端末向けのサービスがある。ワンセグによるテレビ放送に対応した放送受信端末の電源が電池である場合、駆動時間の点から電力消費は小さい方が望ましい。このため、放送受信端末には、音声再生モードとして、良好な音質を実現するための機能（以下「音響付加機能」という。）を実行する通常モードと、音響付加機能を実行しないため通常モードと比べて音質は劣るが電力消費が小さい省電力モードとの２つのモードが用意されている。図４に示すように、これら２つのモードの内のどちらのモードに放送受信端末を設定するかは、放送の視聴開始前に行われる。
【発明の開示】
【発明が解決しようとする課題】
【０００３】
上記説明した放送受信端末は、映像及び音声を再生するためのデータ処理や制御等を行う演算処理部を有する。演算処理部は、通常モードに設定された場合は音響付加機能を実行するが、省電力モードに設定された場合は音響付加機能を実行しない。このため、通常モードのときと比較して、省電力モードのときの方が演算処理部の処理量は少ない。したがって、演算処理部のクロック周波数を下げても動作上支障はない。むしろ、省電力の点から鑑みると、低いクロック周波数で演算処理部を動作させた方が電力消費が少なくなるため好ましい。このため、省電力モード時には、音響付加機能を実行しないだけでなく、内部クロック及び外部クロックを含むクロック周波数を下げると、電力消費を大幅に低減させることができる。
【０００４】
但し、演算処理部が処理中にクロック周波数を切り替えると、演算処理部で実行されているソフトウェア及び演算処理部を含むハードウェアの動作が不安定になる可能性が高い。また、放送視聴中は再生を一時停止することができないため、クロック周波数の切り替えを行えない。このため、放送視聴中でもモードを切り替えることのできる放送受信端末が望まれていた。
【０００５】
本発明の目的は、放送視聴中でもモードを切り替えることのできる放送受信端末、当該放送受信端末が行うモード切替方法、及び当該放送受信端末で実行されるモード切替プログラムを提供することである。
【課題を解決するための手段】
【０００６】
本発明は、モードに応じて異なるクロック周波数で動作する演算処理部を有する放送受信端末が行うモード切替方法であって、前記演算処理部が動作中にモード切替が指示されたかを判別するステップと、前記モード切替が指示されたとき、前記演算処理部をアイドリング状態に設定するステップと、指示されたモードに前記放送受信端末を切り替えるステップと、前記演算処理部のアイドリング状態を解除するステップと、を有するモード切替方法を提供する。
【０００７】
上記モード切替方法は、前記モード切替が指示されたとき、前記演算処理部をアイドリング状態に設定する前に、前記放送受信端末が有する音量調整部を制御して、前記放送受信端末から出力される音をフェードアウト又はミュートするステップと、前記演算処理部のアイドリング状態を解除した後に、前記放送受信端末から出力される音をフェードイン又はミュート解除するステップと、を有する。
【０００８】
上記モード切替方法では、前記放送受信端末は、第１のクロック周波数で前記演算処理部が動作する第１のモードと、前記第１のクロック周波数よりも低い第２のクロック周波数で前記演算処理部が動作する第２のモードとの間で切り替えられる。
【０００９】
上記モード切替方法では、前記放送受信端末が有する音声処理部を制御して、前記音声処理部が有する付加機能の実行と非実行を切り替える。
【００１０】
上記モード切替方法では、前記第１のモードでは、前記放送受信端末が有する音声処理部の付加機能を実行し、前記第２のモードでは、前記音声処理部の付加機能を実行しない。
【００１１】
本発明は、モードに応じて異なるクロック周波数で動作する演算処理部を有する放送受信端末で実行されるモード切替プログラムであって、前記放送受信端末が有するコンピュータに、前記演算処理部が動作中にモード切替が指示されたかを判別する機能と、前記モード切替が指示されたとき、前記演算処理部をアイドリング状態に設定する機能と、指示されたモードに前記放送受信端末を切り替える機能と、前記演算処理部のアイドリング状態を解除する機能と、を実現させるためのモード切替プログラムを提供する。
【００１２】
上記モード切替プログラムでは、前記モード切替が指示されたとき、前記コンピュータに、前記演算処理部をアイドリング状態に設定する前に、前記放送受信端末が有する音量調整部を制御して、前記放送受信端末から出力される音をフェードアウト又はミュートする機能と、前記演算処理部のアイドリング状態を解除した後に、前記放送受信端末から出力される音をフェードイン又はミュート解除する機能と、を実現させる。
【００１３】
上記モード切替プログラムでは、前記放送受信端末は、第１のクロック周波数で前記演算処理部が動作する第１のモードと、前記第１のクロック周波数よりも低い第２のクロック周波数で前記演算処理部が動作する第２のモードとの間で切り替えられる。
【００１４】
上記モード切替プログラムでは、前記放送受信端末が有する音声処理部を制御して、前記音声処理部が有する付加機能の実行と非実行を切り替える。
【００１５】
上記モード切替プログラムでは、前記第１のモードでは、前記放送受信端末が有する音声処理部の付加機能を実行し、前記第２のモードでは、前記音声処理部の付加機能を実行しない。
【００１６】
本発明は、モードに応じて異なるクロック周波数で動作する演算処理部を有する放送受信端末であって、前記演算処理部が動作中にモード切替が指示されたかを判別し、前記モード切替が指示されたとき、前記演算処理部をアイドリング状態に設定し、指示されたモードに前記放送受信端末を切り替え、前記演算処理部のアイドリング状態を解除する制御部を備えた放送受信端末を提供する。
【発明の効果】
【００１７】
本発明に係るモード切替方法、モード切替プログラム及び放送受信端末によれば、放送視聴中でもモードを切り替えることができる。
【発明を実施するための最良の形態】
【００１８】
以下、本発明の実施形態について、図面を参照して説明する。以下説明する実施形態の放送受信端末は、上記説明した「ワンセグ」によるテレビ放送に対応している。
【００１９】
なお、本実施例の説明では、ソフトウェアのみによる実行を想定しているが、各処理ステップを同等の処理をするハードウェアと前記ハードウェアを制御するソフトウェアにより、実現することも可能である。例えば、判別するステップは、同等の処理をする判別部を備えることにより、設定するステップは、同等の処理をする設定部を判定するための情報を検出するハードウェアとソフトウェアからの制御により設定ができる設定部を備えることにより、ソフトウェアのみによる実行と同等の処理を実現しても良い。
【００２０】
図１は、一実施形態の放送受信端末を示すブロック図である。図１に示すように、本実施形態の放送受信端末は、アンテナ１０１と、受信部１０３と、分離部１０５と、音声処理部１０７と、音量調整部１０９と、スピーカ１１１と、映像処理部１１３と、ディスプレイ１１５と、操作部１１７と、制御部１１９と、ＢＩＯＳ設定記憶部１２１とを備える。なお、分離部１０５、音声処理部１０７、映像処理部１１３及び制御部１１９は、プログラムを実行することによって動作するＣＰＵ等の演算処理装置によって実現されていても良い。
【００２１】
アンテナ１０１は、デジタル放送電波を受信する。受信部１０３は、アンテナ１０１が受信した電波を処理して、トランスポートストリーム信号（TS）を出力する。分離部１０５は、トランスポートストリーム信号をオーディオエレメンタリストリーム信号（AUDIO ES）とビデオエレメンタリストリーム信号（VIDEO ES）とに分離して、オーディオエレメンタリストリーム信号を音声処理部１０７に入力し、ビデオエレメンタリストリーム信号を映像処理部１１３に入力する。
【００２２】
音声処理部１０７は、オーディオエレメンタリストリーム信号のデータを処理する。音声処理部１０７に入力されるオーディオエレメンタリストリーム信号は、「ＭＰＥＧ２  ＡＡＣ＋ＳＢＲ」と呼ばれる音声圧縮方式で圧縮されたデータであり、オーディオ符号化データと帯域拡張情報とを含む。オーディオ符号化データは、ＡＡＣ（Advanced Audio Coding）と呼ばれる音声圧縮方式で圧縮されたデータである。なお、オーディオデータをＡＡＣ圧縮すると高周波部分のデータはなくなってしまうため、オーディオ符号化データを復号化しても高音域は再生されない。帯域拡張情報は、オーディオデータをＡＡＣ圧縮した際になくなってしまう高周波部分のデータと低周波部分のデータとの関連性を示す情報を圧縮したＳＢＲ（登録商標）（Spectral Band Replication）データである。
【００２３】
図２は、音声処理部１０７を示すブロック図である。図２に示すように、音声処理部１０７は、帯域拡張情報分離部１５１と、ＡＡＣ復号化部１５３と、切替部１５５と、ＳＢＲ処理部１５７と、Ｄ／Ａ変換部１５９とを有する。帯域拡張情報分離部１５１は、オーディオエレメンタリストリーム信号をオーディオ符号化データと帯域拡張情報とに分離して、オーディオ符号化データをＡＡＣ復号化部１５３に入力し、帯域拡張情報をＳＢＲ処理部１５７に入力する。ＡＡＣ復号化部１５３は、オーディオ符号化データを復号化して低域オーディオデータを出力する（以下、ＡＡＣ復号化部１５３による処理を「ＡＡＣ処理」という。）。ＳＢＲ処理部１５７は、帯域拡張情報及び低域オーディオデータに基づいて高音域を予測して高域オーディオデータを生成する（以下、ＳＢＲ処理部１５７による処理を「ＳＢＲ処理」という。）。Ｄ／Ａ変換部１５９は、オーディオデータをＤ／Ａ変換する。
【００２４】
本実施形態では、放送受信端末の音声再生モードとして、低域オーディオデータ及び高域オーディオデータに基づく音声を再生する通常モードと、低域オーディオデータのみに基づく音声を再生する省電力モードとの２つのモードが用意されている。切替部１５５は、制御部１１９からの指示に応じて、通常モードと省電力モードの間で切り替える。放送受信端末が通常モードに設定されている状態では、ＡＡＣ復号化部１５３から出力された低域オーディオデータは、ＳＢＲ処理部１５７に入力される。一方、放送受信端末が省電力モードに設定されている状態では、ＡＡＣ復号化部１５３から出力された低域オーディオデータは、ＳＢＲ処理部１５７には入力されず、Ｄ／Ａ変換部１５９に入力される。このため、省電力モード時にはＳＢＲ処理は行われない。なお、ＳＢＲ処理は良好な音質を実現する「音響付加機能」である。音響付加機能を実行する通常モードではＳＢＲ処理部１５７が動作するが、音響付加機能を実行しない省電力モードではＳＢＲ処理部１５７が動作しないため電力消費が小さい。
【００２５】
音量調整部１０９は、音声処理部１０７から出力されたアナログオーディオ信号のレベルを調整する。音量調整部１０９は制御部１１９によって制御され、ミュートやフェードアウト、フェードイン等の機能を有する。スピーカ１１１は、アナログオーディオ信号に応じた音を調整されたレベルで出力する。
【００２６】
映像処理部１１３は、ビデオエレメンタリストリーム信号を復号化してディスプレイ１１５で表示するための処理を行う。ディスプレイ１１５は、テレビ映像を表示する。
【００２７】
操作部１１７は、ユーザが放送受信端末を操作するための入力インターフェースである。ユーザは、操作部１１７を用いて通常モードか省電力モードを選択することができる。制御部１１９は、ユーザが操作部１１７を操作して選択したモードとなるよう各構成要素を制御する。本実施形態では、制御部１１９がモード切替を行う際に、分離部１０５、音声処理部１０７、映像処理部１１３及び制御部１１９を含む演算処理部１２３をソフトウェアからハードウェアに対して新たな制御を行わない動作状態、あるいは、ソフトウェアおよびハードウェアが自身の状態遷移を自律して行わない動作状態であるアイドリング状態に設定する。なお、演算処理部１２３がアイドリング状態に移行する際、割り込み処理によってソフトウェアがアイドリング状態になった後、ハードウェアがアイドリング状態になる。
【００２８】
ＢＩＯＳ設定記憶部１２１は、内部クロック及び外部クロックを含むクロック周波数等に関する基本的な情報を記憶する。分離部１０５や音声処理部１０７、映像処理部１１３、制御部１１９は、ＢＩＯＳ設定記憶部１２１に設定されたクロック周波数に応じて動作する。本実施形態では、２種類のクロック周波数を設定可能である。制御部１１９は、通常モードでは高いクロック周波数ｆＨを設定し、省電力モードでは低いクロック周波数ｆＬを設定する。
【００２９】
図３は、本実施形態の放送受信端末の動作（モード切替方法）を示すフローチャートである。図３に示すように、テレビ放送の視聴が開始された（ステップＳ１０１）後、制御部１１９は、モード切替が指示されたかを判別する（ステップＳ１０３）。モード切替が指示されると、制御部１１９は、音声をフェードアウト又はミュートするよう音量調整部１０９を制御する（ステップＳ１０５）。次に、制御部１１９は、分離部１０５、音声処理部１０７、映像処理部１１３及び制御部１１９を含む演算処理部１２３をソフトウェア的かつハードウェア的にアイドリング状態に設定する（ステップＳ１０７）。
【００３０】
演算処理部１２３がアイドリング状態に移行したことを確認した（ステップＳ１０９）後、制御部１１９は、指定されたモードに切り替える（ステップＳ１１１）。通常モードが指定されている場合、制御部１１９は、ＢＩＯＳ設定記憶部１２１にクロック周波数ｆＨを設定し（ステップＳ１１３）、音響付加機能を実行するよう音声処理部１０７の切替部１５５を制御する（ステップＳ１１５）。一方、省電力モードが指定されている場合、制御部１１９は、ＢＩＯＳ設定記憶部１２１にクロック周波数ｆＬを設定し（ステップＳ１１７）、音響付加機能を実行しないよう音声処理部１０７の切替部１５５を制御する（ステップＳ１１９）。
【００３１】
ステップＳ１１５又はステップＳ１１９を行った後、制御部１１９は、演算処理部１２３のアイドリング状態を解除する（ステップＳ１２１）。演算処理部１２３がアイドリング状態ではないことを確認した（ステップＳ１２３）後、制御部１１９は、音声をフェードイン又はミュート解除するよう音量調整部１０９を制御する（ステップＳ１２５）。
【００３２】
以上説明したように、本実施形態の放送受信端末及びモード切替方法によれば、放送視聴中でもモードを切り替えることができる。また、モード切替前にフェードアウト又はミュートするため、モード切替に伴う異音の発生を防ぐことができる。
【００３３】
なお、本実施形態では、モード切替時に音響付加機能のオン／オフ設定を行っているが、イコライザ等の音響効果の変更やデータパスの切替等といった電力消費が変化する設定変更を行っても良い。また、ワンセグによるテレビ放送に対応した放送受信端末を例に説明したが、デジタルラジオに対応した放送受信端末であっても良い。
【産業上の利用可能性】
【００３４】
本発明に係る放送受信端末は、放送視聴中でもモードを切り替えることのできる、放送を受信する端末等として有用である。
【図面の簡単な説明】
【００３５】
【図１】一実施形態の放送受信端末を示すブロック図
【図２】音声処理部を示すブロック図
【図３】本実施形態のモード切替方法を示すフローチャート
【図４】従来のモード切替方法を示すフローチャート
【符号の説明】
【００３６】
１０１  アンテナ
１０３  受信部
１０５  分離部
１０７  音声処理部
１０９  音量調整部
１１１  スピーカ
１１３  映像処理部
１１５  ディスプレイ
１１７  操作部
１１９  制御部
１２１  ＢＩＯＳ設定記憶部
１５１  帯域拡張情報分離部
１５３  ＡＡＣ復号化部
１５５  切替部
１５７  ＳＢＲ処理部
１５９  Ｄ／Ａ変換部
【図１】
2008141722.tif 000003
【図２】
2008141722.tif 000004
【図３】
2008141722.tif 000005
【図４】
2008141722.tif 000006